(57)【要約】【課題】携帯端末の機種及びＯＳにかかわらず、車両装置と携帯端末との動作を適合化することのできる適合化方法を提供する。【解決手段】携帯端末３０が、車両装置１０から取得したアドレスを用いて情報センタ２０にアクセスし、自端末のＯＳで動作可能な専用アプリ４０の送信を要求する。情報センタ２０が、携帯端末３０の送信要求に応じて、専用アプリ４０を携帯端末３０に送信する。携帯端末３０が、専用アプリ４０を実行することにより、自端末の機種を特定可能な特定情報を情報センタ２０に送信する。情報センタ２０が、受信した特定情報に基づいて、車両装置１０と携帯端末３０との動作を適合化するデータを携帯端末３０に送信する。携帯端末３０が、専用アプリ４０を実行することにより、受信したデータを車両装置１０に送信する。車両装置１０が、携帯端末３０から受信したデータに基づいて、携帯端末３０に指令を送信する。【選択図】      図１
2014138360.tif 000002
【特許請求の範囲】
【請求項１】
車両に搭載された車両装置（１０）と、携帯端末（３０）とを備え、前記車両装置からの指令により前記携帯端末の機能が実現される車両システムにおいて、
前記携帯端末が、前記車両装置から前記車両装置に対応する情報センタ（２０）のアドレスを取得する手順と、
前記携帯端末が、取得した前記アドレスを用いて前記情報センタにアクセスし、前記携帯端末のＯＳで動作可能なアプリケーション（４０）の送信を要求する手順と、
前記情報センタが、前記携帯端末による前記送信の要求に応じて、前記アプリケーションを前記携帯端末に送信する手順と、
前記携帯端末が、前記情報センタから受信した前記アプリケーションを実行することにより、前記携帯端末の機種を特定可能な特定情報を前記携帯端末から取得して前記情報センタに送信する手順と、
前記情報センタが、前記携帯端末から受信した前記特定情報に基づいて、前記車両装置と前記携帯端末との動作を適合化するデータ（５０）を前記携帯端末に送信する手順と、
前記携帯端末が、前記アプリケーションを実行することにより、前記情報センタから受信した前記データを前記車両装置に送信する手順と、
前記車両装置が、前記携帯端末から受信した前記データに基づいて、前記携帯端末に前記指令を送信する手順と、を備えることを特徴とする車両装置と携帯端末との動作適合化方法。
【請求項２】
前記携帯端末が、前記アプリケーションを実行することにより、前記携帯端末の状態を取得して前記車両装置に送信する手順を備え、
前記携帯端末に前記指令を送信する手順において、前記車両装置は、前記携帯端末から受信した前記データ及び前記携帯端末の状態に基づいて、前記携帯端末に前記指令を送信する請求項１に記載の車両装置と携帯端末との動作適合化方法。
【請求項３】
前記データを前記車両装置に送信する手順は、前記携帯端末が、前記アプリケーションを実行することにより、前記車両装置と前記携帯端末との接続設定を行う手順を含む請求項１又は２に記載の車両装置と携帯端末との動作適合化方法。
【請求項４】
前記データは、前記車両装置と前記携帯端末との接続を設定するデータを含み、
前記データを前記車両装置に送信する手順は、前記携帯端末が、前記データに基づいて前記車両装置と前記携帯端末との接続設定を行う手順を含む請求項１又は２に記載の車両装置と携帯端末との動作適合化方法。
【請求項５】
前記携帯端末の状態は、前記携帯端末による前記アプリケーションとは異なるアプリケーションの実行状態を含む請求項２〜４のいずれかに記載の車両装置と携帯端末との動作適合化方法。
【請求項６】
前記アドレスを取得する手順において、前記携帯端末は、ＱＲコードの読み取り、ＮＦＣ規格による通信、及び赤外線通信のいずれか１つを行うことにより、前記車両装置から前記アドレスを取得する請求項１〜５のいずれかに記載の車両装置と携帯端末との動作適合化方法。
【請求項７】
前記特定情報は、前記携帯端末の機種名及び前記携帯端末に割り当てられた型番号の少なくともいずれかを含む請求項１〜６のいずれかに記載の車両装置と携帯端末との動作適合化方法。
【請求項８】
車両に搭載された車両装置（１０）と、携帯端末（３０）とを備え、前記車両装置からの指令により前記携帯端末の機能が実現される車両システムにおいて、
前記携帯端末は、
前記車両装置から前記車両装置に対応する情報センタ（２０）のアドレスを取得する取得手段（３３）と、
取得した前記アドレスを用いて前記情報センタにアクセスし、前記携帯端末のＯＳで動作可能なアプリケーション（４０）の送信を要求する要求手段（３２，３５）と、
前記情報センタにより前記送信の要求に応じて送信された前記アプリケーションを受信するアプリケーション受信手段（３２，３４，３５）と、
前記情報センタから受信した前記アプリケーションを実行することにより、前記携帯端末の機種を特定可能な特定情報を前記携帯端末から取得して前記情報センタに送信する情報送信手段（３２，３５）と、
前記情報センタにより前記特定情報に基づいて送信された前記車両装置と前記携帯端末との動作を適合化するデータ（５０）を受信するデータ受信手段（３２，３５）と、
前記アプリケーションを実行することにより、前記情報センタから受信した前記データを前記車両装置に送信するデータ送信手段（３１，３５）と、を備え、
前記車両装置は、
前記携帯端末から受信した前記データに基づいて、前記携帯端末に前記指令を送信する指令送信手段（１１，１３，１４）、を備えることを特徴とする車両システム。
【請求項９】
車両に搭載された車両装置（１０）からの指令により自端末の機能が実現される携帯端末（３０）であって、
前記車両装置から前記車両装置に対応する情報センタ（２０）のアドレスを取得する取得手段（３３）と、
取得した前記アドレスを用いて前記情報センタにアクセスし、前記携帯端末のＯＳで動作可能なアプリケーション（４０）の送信を要求する要求手段（３２，３５）と、
前記情報センタにより前記送信の要求に応じて送信された前記アプリケーションを受信するアプリケーション受信手段（３２，３４，３５）と、
前記情報センタから受信した前記アプリケーションを実行することにより、前記携帯端末の機種を特定可能な特定情報を前記携帯端末から取得して前記情報センタに送信する情報送信手段（３２，３５）と、
前記情報センタにより前記特定情報に基づいて送信された前記車両装置と前記携帯端末との動作を適合化するデータ（５０）を受信するデータ受信手段（３２，３５）と、
前記アプリケーションを実行することにより、前記情報センタから受信した前記データを前記車両装置に送信するデータ送信手段（３１，３５）と、
前記車両装置により前記データに基づいて送信された指令により、自端末の機能を実現する制御手段（３５）と、を備えることを特徴とする携帯端末。
【請求項１０】
携帯端末（３０）に指令を送信して前記携帯端末の機能を実現させる車両装置（１０）に、対応する情報センタ（２０）であって、
前記携帯端末の機種を特定可能な特定情報に応じて設定された、前記車両装置と前記携帯端末との動作を適合化するデータ（５０）、及び、前記携帯端末のＯＳで動作可能なアプリケーション（４０）であって、前記携帯端末が実行することにより、前記特定情報を前記携帯端末から取得して前記情報センタに送信するとともに、前記情報センタから受信した前記データを前記車両装置に送信するアプリケーションを格納する記憶手段（２２）と、
前記携帯端末の要求に応じて、前記アプリケーションを前記携帯端末に送信するアプリケーション送信手段（２１，２２，２３）と、
前記アプリケーションを実行した携帯端末により送信された前記特定情報に基づいて、前記データを前記携帯端末に送信するデータ送信手段（２１，２２，２３）と、を備える情報センタ。
【発明の詳細な説明】
【技術分野】
【０００１】
本発明は、車両装置からの指令により携帯端末の機能が実現される車両システムにおいて、車両装置と携帯端末との動作を適合化する方法、車両装置と携帯端末とを備える車両システム、その携帯端末、及び車両装置に対応する情報センタに関する。
【背景技術】
【０００２】
車両に搭載される車両装置には、車両装置と接続した携帯端末にコマンド送信等することにより、携帯端末の機能を実現させるものがある。このような車両装置に接続される携帯端末の機種及びＯＳ（Operating System）は多数ある。それゆえ、携帯端末の所定の機能を実現させるために車両装置が標準化されたコマンド送信をしても、携帯端末の機種及びＯＳによっては所定の機能が実現されるとは限らず、不具合が生じるおそれがある。
【０００３】
特許文献１において、上記車両装置の一種であるハンズフリー装置は、ハンズフリー装置と接続した携帯端末に機種名を問い合わせるコマンドを送信し、携帯端末の機種名を示す情報を取得している。そして、ハンズフリー装置は、携帯端末の機種に依存する不具合が存在する場合に、不具合を是正するための処理を行っている。
【先行技術文献】
【特許文献】
【０００４】
【特許文献１】特開２００７−７４４０９号公報
【発明の概要】
【発明が解決しようとする課題】
【０００５】
特許文献１において、ハンズフリー装置は携帯端末に機種名を問い合わせるコマンドを送信しているが、機種名を問い合わせるコマンドは、標準化されたコマンドに通常含まれていない。このため、携帯端末が問い合わせに応答して機種名を返信するとは限らず、ハンズフリー装置は携帯端末の機種名を取得できないおそれがある。また、ハンズフリー装置は、携帯端末の機種名しか認識していないため、ＯＳの違いによる不具合が発生しても是正できないおそれがある。
【０００６】
本発明は、上記実情を鑑み、携帯端末の機種及びＯＳにかかわらず、車両装置と携帯端末との動作を適合化することのできる適合化方法、車両装置と携帯端末とを備える車両システム、携帯端末、及び情報センタを提供することを主たる目的とする。
【課題を解決するための手段】
【０００７】
上記課題を解決するため、請求項１に記載の車両装置と携帯端末との動作適合化方法は、車両に搭載された車両装置と、携帯端末とを備え、前記車両装置からの指令により前記携帯端末の機能が実現される車両システムにおいて、前記携帯端末が、前記車両装置から前記車両装置に対応する情報センタのアドレスを取得する手順と、前記携帯端末が、取得した前記アドレスを用いて前記情報センタにアクセスし、前記携帯端末のＯＳで動作可能なアプリケーションの送信を要求する手順と、前記情報センタが、前記携帯端末による前記送信の要求に応じて、前記アプリケーションを前記携帯端末に送信する手順と、前記携帯端末が、前記情報センタから受信した前記アプリケーションを実行することにより、前記携帯端末の機種を特定可能な特定情報を前記携帯端末から取得して前記情報センタに送信する手順と、前記情報センタが、前記携帯端末から受信した前記特定情報に基づいて、前記車両装置と前記携帯端末との動作を適合化するデータを前記携帯端末に送信する手順と、前記携帯端末が、前記アプリケーションを実行することにより、前記情報センタから受信した前記データを前記車両装置に送信する手順と、前記車両装置が、前記携帯端末から受信した前記データに基づいて、前記携帯端末に前記指令を送信する手順と、を備える。
【０００８】
請求項１に記載の発明によれば、携帯端末は、車両装置から車両装置に対応する情報センタのアドレスを取得し、取得したアドレスを用いて情報センタにアクセスする。そして、携帯端末は、自端末のＯＳで動作可能なアプリケーションの送信を情報センタに要求する。情報センタは、携帯端末に要求されたアプリケーションを携帯端末に送信する。携帯端末は、情報センタから受信したアプリケーションを実行することにより、自端末の機種を特定可能な特定情報を自端末から取得して情報センタに送信する。よって、情報センタは、携帯端末の機種及びＯＳの情報を確実に取得できる。
【０００９】
情報センタは、受信した携帯端末の機種情報に基づいて、車両装置と携帯端末との動作を適合化するデータを携帯端末に送信する。携帯端末は、情報センタから受信したアプリケーションを実行することにより、情報センタから受信したデータを車両装置に送信する。よって、車両装置は、携帯端末の機種及びＯＳに応じて車両装置と携帯端末との動作を適合化するデータを、携帯端末を介して情報センタから取得できる。
【００１０】
車両装置は、携帯端末から受信したデータに基づいて、携帯端末の機能を実現させる指令を携帯端末に送信する。したがって、携帯端末の機種及びＯＳにかかわらず、車両装置と携帯端末との動作を適合化することができる。
【００１１】
請求項８に記載の発明は、車両に搭載された車両装置と、携帯端末とを備え、前記車両装置からの指令により前記携帯端末の機能が実現される車両システムにおいて、前記携帯端末は、前記車両装置から前記車両装置に対応する情報センタのアドレスを取得する取得手段と、取得した前記アドレスを用いて前記情報センタにアクセスし、前記携帯端末のＯＳで動作可能なアプリケーションの送信を要求する要求手段と、前記情報センタにより前記送信の要求に応じて送信された前記アプリケーションを受信するアプリケーション受信手段と、前記情報センタから受信した前記アプリケーションを実行することにより、前記携帯端末の機種を特定可能な特定情報を前記携帯端末から取得して前記情報センタに送信する情報送信手段と、前記情報センタにより前記特定情報に基づいて送信された前記車両装置と前記携帯端末との動作を適合化するデータを受信するデータ受信手段と、前記アプリケーションを実行することにより、前記情報センタから受信した前記データを前記車両装置に送信するデータ送信手段と、を備え、前記車両装置は、前記携帯端末から受信した前記データに基づいて、前記携帯端末に前記指令を送信する指令送信手段、を備える。
【００１２】
請求項８に記載の発明によれば、請求項１と同様に、携帯端末の機種及びＯＳにかかわらず、車両装置と携帯端末との動作を適合化することができる。
【００１３】
請求項９に記載の発明は、車両に搭載された車両装置からの指令により自端末の機能が実現される携帯端末であって、前記車両装置から前記車両装置に対応する情報センタのアドレスを取得する取得手段と、取得した前記アドレスを用いて前記情報センタにアクセスし、前記携帯端末のＯＳで動作可能なアプリケーションの送信を要求する要求手段と、前記情報センタにより前記送信の要求に応じて送信された前記アプリケーションを受信するアプリケーション受信手段と、前記情報センタから受信した前記アプリケーションを実行することにより、前記携帯端末の機種を特定可能な特定情報を前記携帯端末から取得して前記情報センタに送信する情報送信手段と、前記情報センタにより前記特定情報に基づいて送信された前記車両装置と前記携帯端末との動作を適合化するデータを受信するデータ受信手段と、前記アプリケーションを実行することにより、前記情報センタから受信した前記データを前記車両装置に送信するデータ送信手段と、前記車両装置により前記データに基づいて送信された指令により、自端末の機能を実現する制御手段と、を備える。
【００１４】
請求項９に記載の発明によれば、請求項１と同様に、自端末の機種及びＯＳにかかわらず、車両装置と自端末との動作を適合化することができる。
【００１５】
請求項１０に記載の発明は、携帯端末に指令を送信して前記携帯端末の機能を実現させる車両装置に、対応する情報センタであって、前記携帯端末の機種を特定可能な特定情報に応じて設定された、前記車両装置と前記携帯端末との動作を適合化するデータ、及び、前記携帯端末のＯＳで動作可能なアプリケーションであって、前記携帯端末が実行することにより、前記特定情報を前記携帯端末から取得して前記情報センタに送信するとともに、前記情報センタから受信した前記データを前記車両装置に送信するアプリケーションを格納する記憶手段と、前記携帯端末の要求に応じて、前記アプリケーションを前記携帯端末に送信するアプリケーション送信手段と、前記アプリケーションを実行した携帯端末により送信された前記特定情報に基づいて、前記データを前記携帯端末に送信するデータ送信手段と、を備える。
【００１６】
請求項１０に記載の発明によれば、携帯端末が情報センタから受信したアプリケーションを実行することにより、情報センタは携帯端末の機種情報を取得する。そして、情報センタは、取得した携帯端末の機種情報に基づいて、車両装置と携帯端末との動作を適合化するデータを携帯端末に送信する。そして、携帯端末がアプリケーションを実行することにより、携帯端末は情報センタから受信したデータを車両装置に送信する。よって、携帯端末の機種及びＯＳにかかわらず、情報センタに対応する車両装置と携帯端末との動作を適合化することができる。
【図面の簡単な説明】
【００１７】
【図１】本実施形態に係る車両システム及び情報センタの構成を示すブロック図。
【図２】車両装置と携帯端末との動作を適合化する処理手順を示すシーケンス図。
【発明を実施するための形態】
【００１８】
以下、車両に搭載された車両装置と携帯端末との動作適合化方法を適用する車両システムの構成について、図面を参照しつつ説明する。本実施形態に係る車両システムは、図１に示すように、車両装置１０と、携帯端末３０とから構成され、車両装置１０からの指令により、オーディオ、ハンズフリー電話、メール等の携帯端末３０の機能が実現される。携帯端末３０は、インターネットを介して、情報センタ２０と通信可能となっている。
【００１９】
情報センタ２０は、車両装置１０に対応する情報センタであり、インターネット通信部２１、記憶部２２（記憶手段）、制御部２３を備える。また、インターネット通信部２１、記憶部２２、及び制御部２３によって、アプリケーション送信手段及びデータ送信手段が構成されている。
【００２０】
インターネット通信部２１は、Wi-Fi（登録商標）等の通信方式を用いて、インターネットとの接続を可能とする。
【００２１】
記憶部２２は、ハードディスク装置などから構成された記憶装置又は記憶領域である。記憶部２２には、携帯端末３０のＯＳごとに、各ＯＳで動作可能な専用アプリ４０（アプリケーション）が記憶されている。また、記憶部２２には、携帯端末３０の機種及びＯＳごとに、車両装置１０と携帯端末３０との動作を適合化するデータ５０が記憶されている。データ５０は、車両装置１０と携帯端末３０間で、どのような順番及びタイミングで、どのような指令を送信するべきかという通信手順が記されたデータテーブルである。この通信手順は、携帯端末３０の状態、及び実現させる携帯端末３０の機能に応じて設定されている。なお、携帯端末３０の状態とは、携帯端末３０による専用アプリ４０以外のアプリの実行状態や、車両装置１０以外の装置との接続状態等である。
【００２２】
制御部２３は、ＣＰＵ、ＲＡＭ、ＲＯＭ、Ｉ／Ｏ、及びこれらを接続するバスライン等からなるマイクロコンピュータとして構成されている。制御部２３は、インターネット通信部２１を介して携帯端末３０から専用アプリ４０の送信要求を受けると、携帯端末３０のＯＳで動作可能な専用アプリ４０を、記憶部２２から取得する。そして、制御部２３は、記憶部２２から取得した専用アプリ４０を、インターネット通信部２１を介して携帯端末３０に送信する。また、制御部２３は、インターネット通信部２１を介して、携帯端末３０から携帯端末３０の機種を特定可能な特定情報を受信すると、受信した特定情報に基づいて、車両装置１０と携帯端末３０との動作を適合化するデータ５０を、記憶部２２から取得する。そして、制御部２３は、記憶部２２から取得したデータ５０を、インターネット通信部２１を介して携帯端末３０に送信する。
【００２３】
携帯端末３０は、スマートフォンや携帯電話、タブレット端末等であり、近距離通信部３１、インターネット通信部３２、情報取得部３３（取得手段）、記憶部３４、制御部３５（制御手段）を備える。また、インターネット通信部３２、制御部３５によって、要求手段、情報送信手段、データ受信手段が構成されている。インターネット通信部３２、記憶部３４、制御部３５によって、アプリケーション受信手段が構成されている。近距離通信部３１、制御部３５によって、データ送信手段が構成されている。
【００２４】
近距離通信部３１は、Bluetooth（登録商標）やWi-Fi等の通信方式を用いて、車両装置１０との無線接続を可能とする。インターネット通信部３２は、Wi-Fi、ＬＴＥ（Long Term Evolution）、３Ｇ等の通信方式を用いて、インターネットとの接続を可能とする。
【００２５】
情報取得部３３は、携帯端末３０の機種及びＯＳに依存しない方法により、車両装置１０から情報センタ２０のアドレスを取得する。具体的には、情報取得部３３は、ＱＲコード（登録商標）を読み取り可能なカメラ、ＮＦＣ(Near Field Communication)規格の通信装置、及び赤外線通信装置等である。情報取得部３３は、ＱＲコード化されたアドレスの読み取り、ＮＦＣ規格による通信、及び赤外線通信のいずれかを行うことにより、車両装置１０から情報センタ２０のアドレスを取得する。
【００２６】
記憶部３４は、フラッシュメモリ等から構成された記憶装置又は記憶領域である。記憶部３４には、インターネット通信部３２を介して情報センタ２０から受信した専用アプリ４０が記憶される。
【００２７】
制御部３５は、ＣＰＵ、ＲＡＭ、ＲＯＭ、Ｉ／Ｏ、及びこれらを接続するバスライン等からなるマイクロコンピュータとして構成されている。制御部３５は、専用アプリ４０を実行することにより、携帯端末３０の機種を特定可能な特定情報を携帯端末３０から取得し、取得した特定情報を、インターネット通信部３２を介して情報センタ２０へ送信する。特定情報は、携帯端末３０の機種名及びメーカにより携帯端末３０に割り当てられた型番号の少なくとも１つを含む。
【００２８】
また、制御部３５は、専用アプリ４０を実行することにより、近距離通信部３１と後述する車両装置１０の近距離通信部１１との接続設定を行うとともに、インターネット通信部３２を介して情報センタ２０から受信したデータ５０を、近距離通信部３１を介して車両装置１０へ送信する。さらに、制御部３５は、専用アプリ４０を実行することにより、携帯端末３０の状態を取得して、取得した状態を、近距離通信部３１を介して車両装置１０へ送信する。すなわち、専用アプリ４０は、制御部３５に実行されることにより、特定情報を情報センタ３０に送信する機能、データ５０を車両装置１０に送信する機能、及び携帯端末３０の状態を車両装置１０に送信する機能、の３つの機能を実現するアプリケーションである。
【００２９】
車両装置１０は、近距離通信部１１、情報通知部１２、記憶部１３、制御部１４を備える。近距離通信部１１、記憶部１３、制御部１４によって、指令送信手段が構成されている。
【００３０】
近距離通信部１１は、BluetoothやWi-Fi等の通信方式を用いて、携帯端末３０との無線接続を可能とする。情報通知部１２は、携帯端末３０に情報センタ２０のアドレスを通知する。具体的には、情報通知部１２は、情報センタ２０のアドレスを表すＱＲコード、ＮＦＣ規格による通信を行う通信装置、及び赤外線通信を行う通信装置等である。
【００３１】
記憶部１３は、ハードディスク装置やＤＶＤ装置などから構成された記憶装置又は記憶領域である。記憶部１３には、近距離通信部１１を介して携帯端末３０から受信したデータ５０が記憶される。
【００３２】
制御部１４は、ＣＰＵ、ＲＡＭ、ＲＯＭ、Ｉ／Ｏ、及びこれらを接続するバスライン等からなるマイクロコンピュータとして構成されている。制御部１４は、記憶部１３に記憶されているデータ５０、及び携帯端末３０から受信した携帯端末３０の状態に基づいて、携帯端末３０の機能を実現させるために、携帯端末３０に指令を送信する。
【００３３】
次に、図２を参照して、本実施形態に係る車両システムが、Bluetoothで接続された車両装置１０と携帯端末３０との動作の適合化を行う処理手順について説明する。
【００３４】
車両装置１０が、Bluetoothで接続された携帯端末３０の機能を利用する場合、利用する機能ごとに車両装置１０と携帯端末３０間の通信手順が標準化されている。しかしながら、携帯端末３０の機種、ＯＳ、及び状態によっては、標準化された手順に従って車両装置１０から携帯端末３０に指令を送っても、携帯端末３０の所望の機能を利用できない不具合が生じることがある。
【００３５】
例えば、車両装置１０が、携帯端末３０のオーディオ機能の早送り又は巻戻しをするために、Bluetoothで標準化された手順に従って、早送り又は巻戻しのpressコマンドを２秒間隔で携帯端末３０に送信すると、早送り又は巻戻しと通常再生とが２秒間隔で繰り返されるという問題が発生することがある。そこで、本実施形態に係る車両システムは、携帯端末３０の機種、ＯＳ、及び状態に応じて、車両装置１０と携帯端末３０との動作の適合化を行う。
【００３６】
まずＳ１０では、車両装置１０にBluetoothによる接続を許可するデバイスとして携帯端末３０を登録するために、ユーザが車両装置１０を操作すると、車両装置１０の画面表示は登録画面に変わる。そして、車両装置１０は接続対象をサーチして携帯端末３０を検出する。
【００３７】
続いてＳ１１で、ＮＦＣ規格による通信や、赤外線通信により車両装置１０から携帯端末３０へ情報センタ２０のアドレスが送信され、携帯端末３０は情報センタ２０のアドレスを取得する。あるいは、ユーザが携帯端末３０を操作して情報通知部１２のＱＲコードを読み取ることにより、携帯端末３０は情報センタ２０のアドレスを取得する。
【００３８】
続いてＳ１２では、携帯端末３０は、取得したアドレスを用いて情報センタ２０にアクセスし、ユーザの操作に応じて、携帯端末３０のＯＳで動作可能な専用アプリ４０の送信を、情報センタ２０に要求する。なお、ユーザは、携帯端末３０のＯＳを指定する。
【００３９】
続いてＳ１３では、情報センタ２０は、携帯端末３０による専用アプリ４０の送信要求に応じて、携帯端末３０のＯＳに応じた専用アプリ４０を携帯端末３０に送信する。
【００４０】
続いてＳ１４では、携帯端末３０は、情報センタ２０から受信した専用アプリ４０をインストールして実行する。Ｓ１５、Ｓ１７、Ｓ１９、Ｓ２１、及びＳ２２の処理は、携帯端末３０が、専用アプリ４０を実行することにより行う処理である。
【００４１】
Ｓ１５では、携帯端末３０は、専用アプリ４０を実行することにより、特定情報を自端末から取得し、取得した特定情報を情報センタ２０に送信する。続いて、Ｓ１６では、情報センタ２０は、携帯端末３０から受信した特定情報、及びＯＳ情報に基づいて、携帯端末３０の機種及びＯＳに対応したデータ５０を、携帯端末３０に送信する。
【００４２】
続いてＳ１７〜Ｓ２１では、携帯端末３０が専用アプリ４０を実行することにより、情報センタ２０から受信したデータ５０を車両装置１０に送信する。まずＳ１７〜Ｓ２１では、携帯端末３０が専用アプリ４０を実行することにより、携帯端末３０の機種及びＯＳに応じて、車両装置１０と携帯端末３０との接続設定を行う。車両装置１０と携帯端末３０とをBluetooth等により接続する場合、標準化された手順に従っても希に接続設定を失敗することがある。そこで、携帯端末３０が情報センタ２０から受信した専用アプリ４０を実行することにより、携帯端末３０の機種及びＯＳにかかわらず、車両装置１０と携帯端末３０との接続設定を確実に行う。
【００４３】
Ｓ１７で、携帯端末３０は車両装置１０に自端末の登録を要求する。Ｓ１８で、車両装置１０は、登録の要求を受け入れ、携帯端末３０とペアリング処理を実施する。これにより、車両装置１０及び携帯端末３０は、互いを通信相手として認識する。続いて、Ｓ１９で、携帯端末３０は車両装置１０にＳＰＰ（Serial Port Profile）接続を要求する。Ｓ２０で、車両装置１０は、ＳＰＰ接続の要求を受け入れ、携帯端末３０とＳＰＰ接続処理を実施する。これにより、車両装置１０と携帯端末３０との間で、安定したBluetoothシリアル通信を行う環境が整う。続いて、Ｓ２１では、携帯端末３０は、情報センタ２０から受信したデータ５０をBluetoothシリアル通信により車両装置１０に送信する。
【００４４】
続いて、Ｓ２２では、携帯端末３０は、専用アプリ４０を実行することにより、専用アプリ４０以外のアプリの実行状態を含む自端末の状態を取得して、取得した自端末の状態をBluetoothシリアル通信により車両装置１０に送信する。携帯端末３０の状態によっては、車両装置１０が携帯端末３０に同じ指令を送信しても、車両装置１０と携帯端末３０との動作を適合化できない場合がある。そこで、携帯端末３０は、情報センタ２０から受信した専用アプリ４０の実行により、適宜自端末の状態を取得し、取得した自端末の状態を車両装置１０に送信する。
【００４５】
続いて、Ｓ２３では、車両装置１０は、携帯端末３０から受信したデータ５０及び携帯端末３０の状態に基づいて、携帯端末３０の機能を実現させるために、携帯端末３０に指令を送信する。以上により、適合化処理を終了する。
【００４６】
適合化処理を実行することにより、標準化された手順に従うと上記例のような問題が発生する場合でも、早送り又は巻き戻しのpressコマンドを一度だけ送信するようになり、早送り又は巻き戻しが正常に実行できるようになる。なお、本処理を実行した後、車両装置１０と携帯端末３０とを再度Bluetoothで接続する場合は、携帯端末３０の機種又はＯＳが変更しない限り、Ｓ１０〜Ｓ１８及びＳ２１の処理を省略できる。
【００４７】
以上説明した本実施形態によれば、以下の効果を奏する。
【００４８】
・携帯端末３０は、情報センタ２０から受信した専用アプリ４０を実行することにより、特定情報を自端末から取得して情報センタ２０に送信する。このため、情報センタ２０は、携帯端末３０の機種の情報を確実に取得できる。
【００４９】
・情報センタ２０は、受信した携帯端末３０の機種情報、及びＯＳ情報に基づいて、データ５０を携帯端末３０に送信し、携帯端末３０は、専用アプリ４０を実行することにより、情報センタ２０から受信したデータ５０を車両装置１０に送信する。このため、車両装置１０は、携帯端末３０の機種及びＯＳに応じたデータ５０を、携帯端末３０を介して情報センタ２０から取得できる。
【００５０】
・携帯端末３０は、専用アプリ４０を実行することにより、専用アプリ４０以外のアプリの実行状態を含む自端末の状態を取得し、取得した自端末の状態を車両装置１０に送信する。このため、車両装置１０は、携帯端末３０の状態を取得できる。
【００５１】
・車両装置１０は、携帯端末３０から受信したデータ５０及び携帯端末３０の状態に基づいて、携帯端末３０の機能を実現させる指令を携帯端末３０に送信する。このため、携帯端末３０の機種、ＯＳ、及び状態にかかわらず、車両装置１０と携帯端末３０との動作を適合化することができる。
【００５２】
・携帯端末３０が専用アプリ４０を実行することにより、携帯端末３０の機種及びＯＳに応じて、車両装置１０と携帯端末３０との接続設定を行っている。このため、携帯端末３０の機種及びＯＳにかかわらず、車両装置１０と携帯端末３０との接続設定を確実に行うことができる。
【００５３】
・携帯端末３０は、ＱＲコードや、ＮＦＣ規格による通信、赤外線通信等の携帯端末３０の機種及びＯＳに依存しない方法により、車両装置１０から情報センタ２０のアドレスを取得する。このため、携帯端末３０は、機種及びＯＳにかかわらず、確実に情報センタ２０にアクセスできる。ひいては、携帯端末３０は、情報センタ２０から車両装置１０と携帯端末３０との動作を適合化するデータを確実に取得し、車両装置１０に送信できる。
【００５４】
（他の実施形態）
本発明は上記実施形態の記載内容に限定されず、以下のように変更して実施してもよい。
【００５５】
・Ｓ１１において、ユーザが携帯端末３０に情報センタ２０のアドレスを直接入力することにより、携帯端末３０が情報センタ２０のアドレスを取得するようにしてもよい。
【００５６】
・データ５０が、車両装置１０と携帯端末３０との接続を設定するデータを含むようにし、Ｓ１７〜Ｓ２１において、携帯端末３０がデータ５０に基づいて車両装置１０と携帯端末３０との接続設定を行うようにしてもよい。このようにしても、携帯端末３０と機種及びＯＳにかかわらず、車両装置１０と携帯端末３０との接続設定を確実に行うことができる。
【００５７】
・Ｓ２２の処理を省略して、Ｓ２３において、車両装置１０は、携帯端末３０から受信したデータ５０に基づいて、携帯端末３０に指令を送信するようにしてもよい。このようにしても、Ｓ２２の処理を実行する場合ほど確実ではないが、車両装置１０と携帯端末３０との動作を適合化できる。
【００５８】
・Ｓ１２において、携帯端末３０は、ユーザの操作によらず自動的に、自端末のＯＳで動作可能な専用アプリ４０の送信を情報センタ２０に要求するようにしてもよい。具体的には、携帯端末３０のＯＳに応じて情報センタ２０の専用アドレスを設定しておくことにより、その専用アドレスにアクセスすることで携帯端末３０のＯＳで動作可能な専用アプリ４０を要求する。情報センタ２０では、専用アドレス毎に携帯端末３０のＯＳに応じた専用アプリ４０が設定されており、アクセスされた専用アドレスに対応する専用アプリ４０を携帯端末３０に送信する。さらに、Ｓ１０において、車両装置１０が携帯端末３０を検出した後、ユーザが携帯端末３０のＯＳを指定することにより、車両装置１０が携帯端末３０に指定されたＯＳに応じて専用アドレスを送信するようにしてもよい。
【符号の説明】
【００５９】
１０…車両装置、１１，３１…近距離通信部、１２…情報通知部、２０…情報センタ、２１，３２…インターネット通信部、３０…携帯端末、３３…情報取得部、４０…専用アプリ、５０…データ。
【図１】
2014138360.tif 000003
【図２】
2014138360.tif 000004